(57)【要約】【課題】無線端末と基地局との間の通信状況が不良な場合でも基地局に信号を安定して受信させることができる無線端末を提供すること。【解決手段】基地局と時分割多元接続方式で通信する無線通信部１１と、無線通信部１１から取得した基地局２０の位置および無線端末１０の位置から通信距離を計算する通信通信距離計算部１６と、基地局２０と無線端末１０との間で通信される信号の遅延時間を測定する遅延時間測定部１７と、計算された通信距離から得られる遅延時間および測定された遅延時間を用いて、無線端末１０と基地局２０との間の通信状況の良否を判定する判定部１８と、判定部１８で通信状況が不良と判定された場合、測定された遅延時間に基づいて、基地局２０の通信圏内で許容される遅延時間より小さくなるように計算した信号の送信タイミングを無線通信部１１に設定する送信タイミング設定部１９とを備える。【選択図】図２
2010062787.tif 000002
【特許請求の範囲】
【請求項１】
基地局と時分割多元接続方式で通信する無線通信部と、
前記無線通信部から取得した前記基地局の位置および自身の無線端末の位置から通信距離を計算する通信距離計算部と、
前記基地局と前記自身の無線端末との間で通信される信号の遅延時間を測定する遅延時間測定部と、
前記通信距離計算部によって計算された通信距離から得られる遅延時間および前記遅延時間測定部によって測定された遅延時間を用いて、前記自身の無線端末と前記基地局との間の通信状況の良否を判定する判定部と、
前記判定部で前記通信状況が不良と判定された場合、前記遅延時間測定部によって測定された遅延時間に基づいて、前記基地局の通信圏内で許容される遅延時間より小さくなるように計算した前記信号の送信タイミングを前記無線通信部に設定する送信タイミング設定部とを備えたことを特徴とする無線端末。
【請求項２】
前記自身の無線端末の位置を測定する位置測定部を備え、
前記通信距離計算部は、前記無線通信部から取得した前記基地局の位置および前記位置測定部から取得した前記自身の無線端末の位置から通信距離を計算することを特徴とする請求項１に記載の無線端末。
【請求項３】
前記通信距離計算部は、前記基地局と通信を開始する際に、前記無線通信部から前記基地局の位置を取得し、前記基地局を介して通信相手との通信を開始する際に、前記位置測定部から前記自身の無線端末の位置を取得することを特徴とする請求項２に記載の無線端末。
【請求項４】
前記通信距離計算部によって計算された通信距離が前記通信圏内でかつ所定の距離以上であった場合、前記判定部が前記通信状況の良否を判定することを特徴とする請求項１に記載の無線端末。
【請求項５】
前記通信距離計算部によって計算された通信距離が前記通信圏内でかつ所定の距離未満であった場合、前記遅延時間測定部が行う前記遅延時間の測定および前記判定部が行う前記通信状況の良否の判定が省略され、前記送信タイミング設定部は、前記通信距離計算部によって計算された通信距離から得られる遅延時間に基づいて、前記基地局の通信圏内で許容される遅延時間より小さくなるように計算した前記信号の送信タイミングを前記無線通信部に設定することを特徴とする請求項４に記載の無線端末。
【請求項６】
無線端末と基地局とが時分割多元接続方式で通信する無線通信システムにおいて、
前記無線端末は、
基地局と時分割多元接続方式で通信する無線通信部と、
前記無線通信部から取得した前記基地局の位置および自身の無線端末の位置から通信距離を計算する通信距離計算部と、
前記基地局と前記自身の無線端末との間で通信される信号の遅延時間を測定する遅延時間測定部と、
前記通信距離計算部によって計算された通信距離から得られる遅延時間および前記遅延時間測定部によって測定された遅延時間を用いて、前記自身の無線端末と前記基地局との間の通信状況の良否を判定する判定部と、
前記判定部で前記通信状況が不良と判定された場合、前記遅延時間測定部によって測定された遅延時間に基づいて、前記基地局の通信圏内で許容される遅延時間より小さくなるように計算した前記信号の送信タイミングを前記無線通信部に設定する送信タイミング設定部とを備えたことを特徴とする無線通信システム。
【発明の詳細な説明】
【技術分野】
【０００１】
本発明は、ＴＤＭＡ（時分割多元接続）方式で通信する無線端末および無線通信システムに関する。
【背景技術】
【０００２】
近年、基地局と無線端末とが無線通信するＴＤＭＡ方式を用いた無線通信システムが普及している。従来の無線通信システムの一例としては、まず、基地局と無線端末とが、共通タイムスロットで送受信された制御データを用いて、基地局から指定された番号の空きタイムスロットが割り当てられ、指定されたタイムスロットの同期をとるための同期バースト信号をやり取りして同期確立を行なった後、音声データ、データ信号等の通信を開始する。
【０００３】
各無線端末は、基地局の通信圏内の様々な場所に存在しているため、各無線端末と基地局との距離は、無線端末毎にそれぞれ異なることになり、各無線端末から送信されたバースト信号を基地局が受信する時刻もそれぞれ異なる。従って、無線端末毎に異なるタイムスロットが割り当てられているにもかかわらず、基地局と各無線端末との間の距離の違いにより発生する伝搬遅延により、基地局で受信するバースト信号が同時に受信されてしまうという衝突現象が生じてしまう。以下に、図面を用いて詳細に説明する。
【０００４】
図６は、４つの無線端末にそれぞれ割り当てられた４つのタイムスロットの４つのバースト信号を受信した基地局におけるバースト信号の受信タイミングの説明図である。図６に示す例では、タイムスロット１に割り当てられた無線端末が、基地局からかなり離れた場所に存在しているので、バースト信号５２が基準タイミング５１から時間差ｔ１だけ遅延しており、タイムスロット２のバースト信号５４と衝突している。
【０００５】
そこで、従来の無線端末は、バースト信号の衝突を回避するために、バースト信号の送信するときのタイムアライメント（送信タイミング）の調整を行っている。
【０００６】
図７は、特許文献１に開示されている従来の無線通信システムの動作例の説明図である。まず、移動無線局は、無線基地局から送信された無線基地局の位置情報を受信する。さらに、移動無線局は、複数のＧＰＳ衛星から送信された各ＧＰＳ信号（移動無線局位置情報）から移動無線局の現在位置を演算する。
【０００７】
次に、移動無線局は、無線基地局の位置と移動無線局の現在位置とから無線基地局と移動無線局との間の距離を算出し、算出した距離からタイムアライメント量を推定し、推定したタイムアライメント量にもとづき送信信号の送信タイミングを調整する。以後、移動無線局は、調整した送信タイミングで音声信号、データ信号などを送信するようになる。
【特許文献１】特開２００１−１６９３４３号公報
【発明の開示】
【発明が解決しようとする課題】
【０００８】
しかしながら、上述した従来の無線通信システムにおいて、基地局と無線端末との間に電波を遮る障害物などが存在した場合、無線端末から基地局に送信されるバースト信号がさらに遅延してしまう。このように、無線端末が、基地局と無線端末と距離に基づいて送信タイミングを調整していても、障害物などで発生する伝搬遅延によりバースト信号の衝突が生じてしまうため、基地局で確実にバースト信号を受信することができないという問題があった。
【０００９】
そこで、本発明は、従来の問題を解決するためになされたもので、無線端末と基地局との間の通信状況が不良な場合でも基地局に信号を安定して受信させることができる無線端末および無線通信システムを提供することを目的とする。
【課題を解決するための手段】
【００１０】
本発明の無線端末は、基地局と時分割多元接続方式で通信する無線通信部と、前記無線通信部から取得した前記基地局の位置および自身の無線端末の位置から通信距離を計算する通信距離計算部と、前記基地局と前記自身の無線端末との間で通信される信号の遅延時間を測定する遅延時間測定部と、前記通信距離計算部によって計算された通信距離から得られる遅延時間および前記遅延時間測定部によって測定された遅延時間を用いて、前記自身の無線端末と前記基地局との間の通信状況の良否を判定する判定部と、前記判定部で前記通信状況が不良と判定された場合、前記遅延時間測定部によって測定された遅延時間に基づいて、前記基地局の通信圏内で許容される遅延時間より小さくなるように計算した前記信号の送信タイミングを前記無線通信部に設定する送信タイミング設定部とを備えた構成を有している。
【００１１】
この構成により、通信距離から得られる遅延時間および測定された遅延時間を用いて、自身の無線端末と基地局との間の通信状況が不良と判定された場合、測定された遅延時間に基づいて信号の送信タイミングを基地局の通信圏内で許容される遅延時間より小さくなるように計算し、計算した送信タイミングで基地局に信号を送信することで、障害物などで発生する伝搬遅延が無くなるため、無線端末と基地局との間の通信状況が不良な場合でも基地局に信号を安定して受信させることができる。
【００１２】
また、本発明の無線端末は、前記自身の無線端末の位置を測定する位置測定部を備え、前記通信距離計算部は、前記無線通信部から取得した前記基地局の位置および前記位置測定部から取得した前記自身の無線端末の位置から通信距離を計算する構成を有している。
【００１３】
この構成により、測定した自身の無線端末の位置から通信距離を計算することができる。
【００１４】
また、本発明の無線端末において、前記通信距離計算部は、前記基地局と通信を開始する際に、前記無線通信部から前記基地局の位置を取得し、前記基地局を介して通信相手との通信を開始する際に、前記位置測定部から前記自身の無線端末の位置を取得する構成を有している。
【００１５】
この構成により、通信相手との通信を開始する際にだけ自身の無線端末の位置を測定して取得するため、通信状況の良否の判定を無駄に実行することなく、その分の消費電力を省略することができる。
【００１６】
また、本発明の無線端末は、前記通信距離計算部によって計算された通信距離が前記通信圏内でかつ所定の距離以上であった場合、前記判定部が前記通信状況の良否を判定する構成を有している。
【００１７】
この構成により、遅延誤差が無視できる距離に所定の距離を設定しておけば、通信距離が所定の距離以上であった場合、遅延誤差があるものとして通信状況の良否の判定を行うことで、適時な判定動作を行うことができる。
【００１８】
また、本発明の無線端末は、前記通信距離計算部によって計算された通信距離が前記通信圏内でかつ所定の距離未満であった場合、前記遅延時間測定部が行う前記遅延時間の測定および前記判定部が行う前記通信状況の良否の判定が省略され、前記送信タイミング設定部は、前記通信距離計算部によって計算された通信距離から得られる遅延時間に基づいて、前記基地局の通信圏内で許容される遅延時間より小さくなるように計算した前記信号の送信タイミングを前記無線通信部に設定する構成を有している。
【００１９】
この構成により、通信距離が所定の距離未満であった場合、遅延誤差が無視できるものとして、遅延時間の測定および通信状況の良否の判定を省略するため、遅延時間の測定および通信状況の良否の判定に使用する分の消費電力を省略することができる。
【００２０】
本発明の無線通信システムは、無線端末と基地局とが時分割多元接続方式で通信するものであり、無線端末は、基地局と時分割多元接続方式で通信する無線通信部と、前記無線通信部から取得した前記基地局の位置および自身の無線端末の位置から通信距離を計算する通信距離計算部と、前記基地局と前記自身の無線端末との間で通信される信号の遅延時間を測定する遅延時間測定部と、前記通信距離計算部によって計算された通信距離から得られる遅延時間および前記遅延時間測定部によって測定された遅延時間を用いて、前記自身の無線端末と前記基地局との間の通信状況の良否を判定する判定部と、前記判定部で前記通信状況が不良と判定された場合、前記遅延時間測定部によって測定された遅延時間に基づいて、前記基地局の通信圏内で許容される遅延時間より小さくなるように計算した前記信号の送信タイミングを前記無線通信部に設定する送信タイミング設定部とを備えた構成を有している。
【００２１】
この構成により、通信距離から得られる遅延時間および測定された遅延時間を用いて、自身の無線端末と基地局との間の通信状況が不良と判定された場合、基地局の通信圏内で許容される遅延時間より小さくなるように測定された遅延時間に基づいて信号の送信タイミングを計算し、計算した送信タイミングで基地局に信号を送信することで、障害物などで発生する伝搬遅延が無くなるため、無線端末と基地局との間の通信状況が不良な場合でも基地局に信号を安定して受信させることができる。
【発明の効果】
【００２２】
本発明は、無線端末と基地局とが時分割多元接続方式で通信する場合において無線端末と基地局との間の通信状況が不良な場合でも基地局に信号を安定して受信させることができる無線端末および無線通信システムを提供するものである。
【発明を実施するための最良の形態】
【００２３】
以下、本発明の実施の形態について、図面を参照して説明する。
【００２４】
図１は、本実施例に係る無線通信システムの構成図である。図１に示した無線通信システムは、ＴＤＭＡ方式を用いて通信する無線端末１０および基地局２０を有しており、無線端末１０と基地局２０との間に電波を遮蔽するように障害物がある。本実施例では、この障害物があるために無線端末１０と基地局２０との間で送受されるバースト信号において障害物が無い状況よりも余分に遅延が発生することを前提としている。
【００２５】
図２は、本実施例に係る無線端末のブロック図である。無線端末１０は、無線通信部１１、位置測定部１２、操作入力部１３、表示部１４Ａ、音声入出力部１４Ｂ、および制御部１５を有している。
【００２６】
無線通信部１１は、基地局２０と通信するためのアンテナ（図示していない）からバースト信号を送受信するものである。また、無線通信部１１は、信号を送信する場合、制御部１５から出力された信号を変調処理し、信号を受信した場合、その信号を復調処理して制御部１５に出力するものである。
【００２７】
また、無線通信部１１は、例えば、ＴＤＭＡ方式およびＰＨＳ等の通信方式に準拠した通信を行うものである。共通タイムスロットで送受信された制御データを用いて、基地局２０から指定された番号の空きタイムスロットが割り当てられ、指定されたタイムスロットの同期をとるための同期バースト信号をやり取りして同期確立を行なった後、音声データ、データ信号等の通信が開始される。
【００２８】
位置測定部１２は、無線端末１０の位置を測定するものである。例えば、位置測定部１２は、複数のＧＰＳ衛星から送信されてきたＧＰＳ信号を受信し、受信したそれぞれのＧＰＳ信号から無線端末１０の現在位置を演算するようになっている。なお、ＧＰＳシステムの使用例を説明したが、位置測定部１２は、ＡＶＭシステム（Automatic Vehicle Monitoring System ）により測定された位置情報を使用してもよく、無線端末１０の現在位置を測定できるものであれば如何なるものでもよい。
【００２９】
操作入力部１３は、テンキーなどから構成され、利用者によって操作されたものを入力するものであり、表示部１４Ａは、液晶ディスプレイなどのディスプレイである。音声入出力部１４Ｂは、主に通話で必要となる音声を収音するマイクロフォンや音声を出力するスピーカーである。
【００３０】
制御部１５は、例えばプログラムを実行するＣＰＵなどによって構成され、通信距離計算部１６、遅延時間測定部１７、判定部１８、および送信タイミング設定部１９によって構成される。これらの部材は、プログラムのモジュールなどでもよい。
【００３１】
通信距離計算部１６は、無線通信部１１を介して得られた基地局２０の位置および位置測定部１２によって得られた無線端末１０の現在位置から、基地局２０と無線端末１０との通信距離を計算するものである。例えば、位置情報が緯度および経度からなれば、基地局２０、無線端末１０それぞれの緯度および経度から距離が求まる。位置情報に緯度および経度に加えて高さを加えてもよく、高さが加わればさらに正確な距離を求めることができる。
【００３２】
遅延時間測定部１７は、基地局２０と無線端末１０との間で送受信されるバースト信号の遅延時間を測定するようになっている。以下、バースト信号の遅延時間について図面を参照して説明する。
【００３３】
図４は、基地局が各地点で無線端末と通信した場合について説明するための図である。セル２１は、基地局２０を中心とした一定の距離をもつ通信可能なエリア（通信圏）である。地点１および地点２は、セル２１の範囲内にあり、地点３は、セル２１の範囲外にある。
【００３４】
図５は、共通のタイムスロットにおいて各地点で同時に送信されたバースト信号を基地局が受信した場合の遅延の様子を示した図である。なお、図５では、送信タイミングの制御は行っていない。
【００３５】
地点１および地点２のバースト信号はタイムスロットの期間に収まっている。地点１は、地点２より基地局２０に近いため、地点１で送信されたバースト信号は、地点２で送信されたバースト信号よりも遅延が小さい。地点３は、セル２１の範囲外にあるため、遅延が大きくなり、地点３で送信されたバースト信号は、タイムスロットの期間に収まっていない。要するに、基地局２０から遠くなるほど、タイムスロットの基準タイミングから大きく遅延することになる。
【００３６】
図４に示したように、無線端末１０がセル２１の範囲内に存在しても、無線端末１０と基地局２０との間に電波を遮蔽するように障害物があると、地点３で送信されたバースト信号のように、無線端末１０で送信されたバースト信号は、図５に示したようにタイムスロットの期間に収まらないことがある。なお、本実施例では、地点３で送信されたバースト信号の遅延時間と図４の位置の無線端末１０で送信されたバースト信号の遅延時間とは同じとする。
【００３７】
上述した遅延時間を測定するため、例えば、遅延時間測定部１７は、バースト信号を送信する際の送信時刻をバースト信号に付与して基地局２０に送信するように無線通信部１１に指示することで、送信時刻付きのバースト信号が送信される。基地局２０は、送信時刻付きのバースト信号を受信した際、受信した時刻とバースト信号に付与された送信時刻との差分から、遅延時間を求め、求めた遅延時間の情報を無線端末１０に返却し、遅延時間測定部１７は、遅延時間を取得する。
【００３８】
なお、上りのバースト信号と下りのバースト信号との経路がほぼ等しいと想定されるのであれば、基地局２０がバースト信号を送信する際の送信時刻をバースト信号に付与して無線端末１０に送信し、無線端末１０が送信時刻付きのバースト信号を受信した際、遅延時間測定部１７は、受信した時刻とバースト信号に付与された送信時刻との差分から、遅延時間を求めるようにしてもよい。
【００３９】
判定部１８は、通信距離計算部１６によって計算された通信距離から得られる遅延時間と、遅延時間測定部１７によって測定された遅延時間とを用いて、基地局２０と無線端末１０との間の通信状況の良否（例えばLOS:Line Of Sight/NLOS: Not Line Of Sight）を判定するようになっている。
【００４０】
例えば、通信距離計算部１６によって計算された通信距離から得られる遅延時間と遅延時間測定部１７によって測定された遅延時間との差分が無い場合（ほとんど差分が無くて差分が基準値以下の場合）に、判定部１８は、基地局２０と無線端末１０との間に障害物が無いとみなして通信状況が良好であると判定する。差分がある場合（差分が基準値を超える場合）、判定部１８は、基地局２０と無線端末１０との間に障害物があるとみなして通信状況が不良と判定する。通信距離から得られる遅延時間は、電波伝搬速度に基づいて求められる。例えば、電波伝搬速度が３×１００００００００（ｍ／ｓ）であり、通信距離が１００ｍであるとすれば、遅延時間は、約０．３３μｓとなり、通信距離が１０００ｍであるとすれば、遅延時間は、約３．３μｓとなる。
【００４１】
通信距離計算部１６によって計算された通信距離から得られる遅延時間と遅延時間測定部１７によって測定された遅延時間との差分から判定部１８は通信状況の良好を判定すると説明したが、通信距離計算部１６によって計算された通信距離と遅延時間測定部１７によって測定された遅延時間から得られる距離との差分から判定部１８は通信状況の良好を判定するようにしてもよい。
【００４２】
送信タイミング設定部１９は、基地局２０の通信圏内で許容される遅延時間より小さくなるように遅延時間測定部１７によって測定された遅延時間に基づいて計算したバースト信号の送信タイミングを無線通信部１１に設定するようになっている。
【００４３】
以上のように構成された無線端末１０の動作について基地局２０の動作と共に図面を用いて説明する。図３は、無線端末１０および基地局２０の動作例を示すフローチャートである。
【００４４】
まず、無線端末１０および基地局２０は、通信を開始する際に同期処理を行う（Ｓ１）。次に、通信距離計算部１６は、同期処理の際に（または位置登録などの処理で）基地局２０の位置情報を取得する（Ｓ２）。
【００４５】
通信距離計算部１６は、データ転送、ブラウジング、もしくはメールなどのデータ通信、または通話など、基地局２０を介して通信相手との通信が開始されたか否か判定する（Ｓ３）。ステップＳ３でＮＯの場合、一定時間、タイミングをとって処理がＳ３に戻る。
【００４６】
ステップＳ３でＹＥＳの場合、通信距離計算部１６は、位置測定部１２から無線端末１０の現在位置を取得する（Ｓ４）。ここで、通信距離計算部１６は、無線通信部１１を介して得られた基地局２０の位置および位置測定部１２から取得された無線端末１０の現在位置から、基地局２０と無線端末１０との通信距離を計算する。
【００４７】
判定部１８は、通信距離計算部１６によって計算された通信距離が所定の距離以上か否かを判定する（Ｓ５）。所定の距離はセル２２を形成するためのものであり、セル２２は、図４に示すように基地局２０を中心とした所定の距離をもつエリアである。
【００４８】
基地局２０と無線端末１０との通信距離が近いと、遅延誤差があっても僅かなものであり正常に基地局２０と無線端末１０とが通信できるため、遅延時間測定部１７は遅延時間を測定しないことで、その分の消費電力を省略することができる。上述した所定の距離は、遅延誤差があっても僅かで正常に基地局２０と無線端末１０とが通信できる程度の値に設定される。
【００４９】
通信距離が所定の距離以上と判定された場合、遅延時間測定部１７は、基地局２０と連携して遅延時間を測定する（Ｓ６）。通信距離が所定の距離未満と判定された場合、処理がＳ９に進む。
【００５０】
次に、判定部１８は、通信距離計算部１６によって計算された通信距離から得られる遅延時間と、遅延時間測定部１７によって測定された遅延時間とを用いて、基地局２０と無線端末１０との間の通信状況の良否（LOS:Line Of Sight/NLOS: Not Line Of Sight）を判定する（Ｓ７）。
【００５１】
基地局２０と無線端末１０との間の通信状況が不良と判定された場合、送信タイミング設定部１９は、遅延時間測定部１７によって測定された遅延時間がＴ１だった場合、図５に示すように、タイムスロットの基準タイミングに合わせて遅延時間Ｔ１分早めてバースト信号を送信するように送信タイミングを計算し（Ｓ８）、計算した送信タイミングを無線通信部１１に設定する（Ｓ１０）。
【００５２】
基地局２０と無線端末１０との間の通信状況が良好と判定された場合、送信タイミング設定部１９は、タイムスロットの基準タイミングに合わせて、通信通信距離計算部１６によって計算された通信距離から得られる遅延時間分早めてバースト信号を送信するように送信タイミングを計算し（Ｓ９）、計算した送信タイミングを無線通信部１１に設定する（Ｓ１０）。なお、省電力化を図るためにステップＳ９は実行せず、通信状況が不良の場合のみに送信タイミングを修正するようにしてもよい。
【００５３】
以上説明したように、本実施例の無線端末１０は、通信距離から得られる遅延時間および測定された遅延時間を用いて、無線端末１０と基地局２０との間の通信状況が不良と判定された場合、測定された遅延時間に基づいて信号の送信タイミングをタイムスロットの基準タイミングに合わせて計算し、計算した送信タイミングで基地局２０に信号を送信することで、障害物などで発生する伝搬遅延が無くなるため、無線端末１０と基地局２０との間の通信状況が不良な場合でも基地局２０に信号を安定して受信させることができる。また、無線端末１０が送信タイミングをタイムスロットの基準タイミングに合わせれば、タイムスロットに設定される余裕分の時間が不要となり、余裕分の時間がデータ伝送に使用することが可能なので、データの伝送効率を向上させることができる。
【００５４】
また、本実施例の無線端末１０は、通信相手との通信を開始する際にだけ無線端末１０の位置を測定して取得するため、通信状況の良否の判定を無駄に実行することなく、その分の消費電力を省略することができる。また、通信距離が所定の距離以上であった場合、遅延誤差があるものとして通信状況の良否の判定を行い、通信距離が所定の距離未満であった場合、遅延誤差が無視できるものとして通信状況の良否の判定を無駄に実行することなく、その分の消費電力を省略することができる。
【産業上の利用可能性】
【００５５】
本発明は、無線端末と基地局との間の通信状況が不良な場合でも基地局に信号を安定して受信させることができる効果を有し、ＴＤＭＡ（時分割多元接続）方式で通信する無線端末および無線通信システムに幅広く有用である。
【図面の簡単な説明】
【００５６】
【図１】本実施例に係る無線通信システムの構成図である。
【図２】本実施例に係る無線端末のブロック図である。
【図３】本実施例に係る無線端末および基地局の動作例を示すフローチャートである。
【図４】基地局が各地点で無線端末と通信した場合について説明するための図である。
【図５】共通のタイムスロットにおいて各地点で同時に送信されたバースト信号を基地局が受信した場合の遅延の様子を示した図である。
【図６】４つの無線端末にそれぞれ割り当てられた４つのタイムスロットの４つのバースト信号を受信した基地局におけるバースト信号の受信タイミングの説明図である。
【図７】従来の無線通信システムの動作例の説明図である。
【符号の説明】
【００５７】
１０  無線端末
１１  無線通信部
１２  位置測定部
１３  制御部
１３  操作入力部
１４Ａ  表示部
１４Ｂ  音声入出力部
１５  制御部
１６  距離計算部
１６  通信距離計算部
１７  遅延時間測定部
１８  判定部
１９  送信タイミング設定部
２０  基地局
２１、２２  セル
５１  基準タイミング
５２、５４  バースト信号
【図１】
2010062787.tif 000003
【図２】
2010062787.tif 000004
【図３】
2010062787.tif 000005
【図４】
2010062787.tif 000006
【図５】
2010062787.tif 000007
【図６】
2010062787.tif 000008
【図７】
2010062787.tif 000009